(57)【特許請求の範囲】
【請求項１】
光ディスクに記録されている映像信号を読み取る光ピックアップと、この光ピックアップが読み取った映像信号を記憶する映像記憶手段と、この映像記憶手段に記憶させた映像信号を復号処理する信号処理手段と、この信号処理手段に復号処理させた復号信号を本装置に接続される表示装置に対する映像信号を出力する映像信号出力手段と、前記表示装置に所定のオンスクリーンディスプレイ（以下、ＯＳＤと記す）表示をさせるＯＳＤ出力手段と、上記各手段の制御を司る制御手段と、この制御手段の動作プログラムを記憶する記憶手段と、ユーザが前記制御手段に各種の指令を入力するための入力手段とを備え、
前記制御手段は、前記入力手段からユーザによって指定されたズーム位置（指定ズーム位置）に対応する映像を前記表示装置に拡大表示させるズーム表示指令が入力されたとき、前記信号処理手段に拡大表示する領域の映像信号を抽出させ、この抽出した映像信号に拡大表示のための処理を加えた後、この処理後の映像信号を前記映像信号出力手段を介して前記表示装置に表示させると共に、該表示装置が表示している映像の一部にズームされる画像の初期中央位置及び前記指定ズーム位置を擬似的に表示するためのインデックスを重畳させてＯＳＤ表示させる光ディスク再生装置において、
前記記憶手段には、前記インデックスの表示領域を縦方向より横方向に細かく等分割した大きさであって、前記インデックス上にＯＳＤ表示可能なフォントが記憶されており、このフォントは高さ方向の表示位置が互いに異なる矩形ドットパターンを有する第1及び第2の群からなり、前記第１の群のフォントは、前記インデックス上の中央位置を表示する矩形ドットパターン及びそれとは高さ方向に離間した位置を表示する矩形ドットパターンの内、いずれか１つの矩形ドットパターンを有し、前記第２の群のフォントは、前記インデックス上の中央位置を表示する矩形ドットパターンとそれとは高さ方向に離間した位置を表示する矩形ドットパターンとからなるの２つの矩形ドットパターンを有し、
前記制御手段は、前記インデックスの表示領域を前記フォントと同じ大きさの複数個の表示セルに分割するための指令を前記ＯＳＤ出力手段に出力するインデックス分割指令出力手段と、前記記憶手段に記憶されている前記複数種類のフォントを検索するフォント検索手段と、前記フォント検索手段が抽出したフォントを前記インデックス上にＯＳＤ表示させる指令を前記ＯＳＤ出力手段に出力するフォント表示指令出力手段とを備えており、
前記フォント検索手段は、前記指定されたズーム位置が前記インデックスの縦中心線上に位置するときは、前記第２の群のフォントを検索し、その中から前記指定されたズーム位置に対応する高さ方向の表示位置を含むフォントを抽出し、前記指定されたズーム位置が前記インデックスの縦中心線上に位置しないときは、前記第１の群のフォントを検索し、その中から前記インデックスの中央位置を表示する矩形ドットパターンを有するフォント及び前記指定されたズーム位置に対応する高さ方向の表示位置を有するフォントを抽出するものであり、
前記フォント表示指令出力手段は、前記フォント検索手段によって抽出されたフォントを前記指定ズーム位置に対応する表示セル上に、又は、前記インデックスの縦中心線上に位置する表示セル上及び前記指定ズーム位置に対応する表示セル上にＯＳＤ表示させる指令を前記ＯＳＤ出力手段に出力するものであり、これにより、前記初期中央位置及び前記指定ズーム位置を前記インデックス上に表示するようにしたことを特徴とするズーム位置表示機能を有する光ディスク再生装置。
【請求項２】
光ディスクに記録されている映像信号を読み取る光ピックアップと、この光ピックアップが読み取った映像信号を記憶する映像記憶手段と、この映像記憶手段に記憶させた映像信号を復号処理する信号処理手段と、この信号処理手段に復号処理させた復号信号を本装置に接続される表示装置に対する映像信号を出力する映像信号出力手段と、前記表示装置に所定のオンスクリーンディスプレイ（以下、ＯＳＤと記す）表示をさせるＯＳＤ出力手段と、上記各手段の制御を司る制御手段と、この制御手段の動作プログラムを記憶する記憶手段と、ユーザが前記制御手段に各種の指令を入力するための入力手段とを備え、
前記制御手段は、前記入力手段からユーザによって指定されたズーム位置（指定ズーム位置）に対応する映像を前記表示装置に拡大表示させるズーム表示指令が入力されたとき、前記信号処理手段に拡大表示する領域の映像信号を抽出させ、この抽出した映像信号に拡大表示のための処理を加えた後、前記映像信号出力手段を介して前記表示装置に表示させると共に、該表示装置が表示している映像の一部に指定ズーム位置を擬似的に表示するためのインデックスを重畳させてＯＳＤ表示させる光ディスク再生装置において、
前記記憶手段には、前記インデックスの表示領域を縦方向及び横方向に分割した大きさであって、前記インデックス上にＯＳＤ表示可能な所定のドットパターンを有する複数種類のフォントが記憶されており、
前記制御手段は、
前記ＯＳＤ出力手段に前記インデックスの表示領域を前記フォントと同じ大きさの複数個の表示セルに分割させる指令を出力し、
前記入力手段から前記指定ズーム位置が入力されたとき、前記記憶手段に記憶されている前記複数種類のフォントを検索し、該指定ズーム位置に対応するドットパターンを有するフォントを抽出し、該フォントを該指定ズーム位置に対応する表示セル上にＯＳＤ表示させる指令を前記ＯＳＤ出力手段に出力することを特徴とするズーム位置表示機能を有する光ディスク再生装置。
【請求項３】
前記制御手段は、前記入力手段から前記指定ズーム位置を移動させる指令が入力されたとき、前記記憶手段に記憶されている前記複数種類のフォントを検索し、移動前後における該指定ズーム位置に対応するドットパターンを有するフォントを抽出し、該フォントを該指定ズーム位置に対応する表示セル上にＯＳＤ表示させる指令を前記ＯＳＤ出力手段に出力することを特徴とする請求項２に記載のズーム位置表示機能を有する光ディスク再生装置。
【発明の詳細な説明】
【０００１】
【発明の属する技術分野】
本発明は、ＤＶＤ（Digital Versatile Disk）等のズーム位置表示機能を有する光ディスク再生装置に関するものである。
【０００２】
【従来の技術】
従来より、投写型映像表示装置においては、ズーム位置の変更に伴うオンスクリーン（以下ＯＳＤと記す）表示の画面欠けを防止するようにしたＯＳＤ表示回路が知られている（例えば、特開平５−８３６６３号公報参照）。また、光ディスク再生装置においては、ユーザが設定したズーム情報を記録し、再生時に上記ズーム情報に基いて自動的にズーム処理を行うようにした装置が知られている（例えば、特開２００１−２１１４２７号公報参照）。
【０００３】
また、表示画面の一部の表示と対応づけてズーム位置を表示することにより、ユーザが画面を確認しながら、ズーム位置の設定を行えるようにした光ディスク再生装置が知られている（例えば、特開平１１−２６６４３７号公報参照）。
【０００４】
【発明が解決しようとする課題】
上記特開平１１−２６６４３７号公報に示された光ディスク再生装置においては、ズーム位置を画面上に表示するために表示位置の座標を計算しなければならない。しかしながら、この座標の計算に適用されるアルゴリズムは複雑であるため、装置のズーム位置の座標を求め、この座標位置にズーム位置を表示させるプログラムの作成は困難を伴っている。
【０００５】
本発明は、上述した問題点を解決するためになされたものであり、ズーム位置を表示させるためのアルゴリズムを簡素化してプログラミングを容易にしたズーム位置表示機能を有する光ディスク再生装置を提供することを目的とする。
【０００６】
【課題を解決するための手段】
上記目的を達成するために請求項１の発明は、光ディスクに記録されている映像信号を読み取る光ピックアップと、この光ピックアップが読み取った映像信号を記憶する映像記憶手段と、この映像記憶手段に記憶させた映像信号を復号処理する信号処理手段と、この信号処理手段に復号処理させた復号信号を本装置に接続される表示装置に対する映像信号を出力する映像信号出力手段と、表示装置に所定のオンスクリーンディスプレイ（以下、ＯＳＤと記す）表示をさせるＯＳＤ出力手段と、上記各手段の制御を司る制御手段と、この制御手段の動作プログラムを記憶する記憶手段と、ユーザが制御手段に各種の指令を入力するための入力手段とを備え、制御手段は、入力手段からユーザによって指定されたズーム位置（指定ズーム位置）に対応する映像を表示装置に拡大表示させるズーム表示指令が入力されたとき、信号処理手段に拡大表示する領域の映像信号を抽出させ、この抽出した映像信号に拡大表示のための処理を加えた後、この処理後の映像信号を映像信号出力手段を介して表示装置に表示させると共に、該表示装置が表示している映像の一部にズームされる画像の初期中央位置及び指定ズーム位置を擬似的に表示するためのインデックスを重畳させてＯＳＤ表示させる光ディスク再生装置において、記憶手段には、インデックスの表示領域を縦方向より横方向に細かく等分割した大きさであって、インデックス上にＯＳＤ表示可能なフォントが記憶されており、このフォントは高さ方向の表示位置が互いに異なる矩形ドットパターンを有する第1及び第2の群からなり、第１の群のフォントは、インデックス上の中央位置を表示する矩形ドットパターン及びそれとは高さ方向に離間した位置を表示する矩形ドットパターンの内、いずれか１つの矩形ドットパターンを有し、第２の群のフォントは、インデックス上の中央位置を表示する矩形ドットパターンとそれとは高さ方向に離間した位置を表示する矩形ドットパターンとからなるの２つの矩形ドットパターンを有し、制御手段は、インデックスの表示領域をフォントと同じ大きさの複数個の表示セルに分割するための指令をＯＳＤ出力手段に出力するインデックス分割指令出力手段と、記憶手段に記憶されている複数種類のフォントを検索するフォント検索手段と、フォント検索手段が抽出したフォントをインデックス上にＯＳＤ表示させる指令をＯＳＤ出力手段に出力するフォント表示指令出力手段とを備えており、フォント検索手段は、指定されたズーム位置がインデックスの縦中心線上に位置するときは、第２の群のフォントを検索し、その中から指定されたズーム位置に対応する高さ方向の表示位置を含むフォントを抽出し、指定されたズーム位置がインデックスの縦中心線上に位置しないときは、第１の群のフォントを検索し、その中からインデックスの中央位置を表示する矩形ドットパターンを有するフォント及び指定されたズーム位置に対応する高さ方向の表示位置を有するフォントを抽出するものであり、フォント表示指令出力手段は、フォント検索手段によって抽出されたフォントを指定ズーム位置に対応する表示セル上に、又は、インデックスの縦中心線上に位置する表示セル上及び指定ズーム位置に対応する表示セル上にＯＳＤ表示させる指令���ＯＳＤ出力手段に出力するものであり、これにより、初期中央位置及び指定ズーム位置をインデックス上に表示するようにしたものである。
【０００７】
この構成においては、ユーザによってズーム位置が指定されると、初期中央位置と指定ズーム位置とを表示させるために記憶手段に記憶させたフォントを検索し、初期中央位置及び指定ズーム位置の高低を示すのに適切なフォントを抽出し、これを表示セルに配置することにより、初期中央位置及び指定ズーム位置をインデックス上にＯＳＤ表示させることができる。ユーザが指定ズーム位置を移動させたときは、移動後の指定ズーム位置を表示する表示セルについて、指定ズーム位置の高低を示すのに適切なフォントに差し換えることによって指定ズーム位置を移動させて表示させる。各フォントのドットパターンの高さ方向の表示位置は、いずれかのフォントを表示セルに配置することによって指定ズーム位置の高低を表示できるように設定されている。
【０００８】
初期中央位置又は指定ズーム位置のいずれかを異なる表示セル上に表示させるには第１の群のフォントが用いられ、また、初期中央位置及び指定ズーム位置を同一の表示セル上に表示させるには第２の群のフォントが用いられる。従って、指定ズーム位置がインデックスの縦中心線上に位置するときは、第２の群のフォントを用いることによって初期中央位置及び指定ズーム位置をインデックス上に表示する。一方、指定ズーム位置がインデックスの縦中心線上に位置しないときは、第１の群のフォントを複数個用い、それぞれのフォントを異なる表示セル上に配置することによって初期中央位置及び指定ズーム位置を表示させる。このように、ズーム位置を表示するために適切なフォントを抽出し、これを表示セルに配置することにより、初期中央位置と指定ズーム位置とをインデックス上にＯＳＤ表示させるようにしている。これにより、インデックス上のズーム位置をＯＳＤ表示させる際に必要であった困難なアルゴリズムによる座標計算等の処理を省略することができ、制御部の動作プログラムを簡素化することができる。なお、上記フォントは、キャラクタ等の表示のために記憶手段に予め記憶されているフォントを用いるようにしてもよい。この場合、改めて記憶手段にフォントを記憶させる必要はなく、また、記憶手段の記憶容量を圧迫することもない。
【０００９】
また、請求項２の発明は、光ディスクに記録されている映像信号を読み取る光ピックアップと、この光ピックアップが読み取った映像信号を記憶する映像記憶手段と、この映像記憶手段に記憶させた映像信号を復号処理する信号処理手段と、この信号処理手段に復号処理させた復号信号を本装置に接続される表示装置に対する映像信号を出力する映像信号出力手段と、表示装置に所定のオンスクリーンディスプレイ（以下、ＯＳＤと記す）表示をさせるＯＳＤ出力手段と、上記各手段の制御を司る制御手段と、この制御手段の動作プログラムを記憶する記憶手段と、ユーザが制御手段に各種の指令を入力するための入力手段とを備え、制御手段は、入力手段からユーザによって指定されたズーム位置（指定ズーム位置）に対応する映像を表示装置に拡大表示させるズーム表示指令が入力されたとき、信号処理手段に拡大表示する領域の映像信号を抽出させ、この抽出した映像信号に拡大表示のための処理を加えた後、映像信号出力手段を介して表示装置に表示させると共に、該表示装置が表示している映像の一部に指定ズーム位置を擬似的に表示するためのインデックスを重畳させてＯＳＤ表示させる光ディスク再生装置において、記憶手段には、インデックスの表示領域を縦方向及び横方向に分割した大きさであって、インデックス上にＯＳＤ表示可能な所定のドットパターンを有する複数種類のフォントが記憶されており、制御手段は、ＯＳＤ出力手段にインデックスの表示領域をフォントと同じ大きさの複数個の表示セルに分割させる指令を出力し、入力手段から指定ズーム位置が入力されたとき、記憶手段に記憶されている複数種類のフォントを検索し、該指定ズーム位置に対応するドットパターンを有するフォントを抽出し、該フォントを該指定ズーム位置に対応する表示セル上にＯＳＤ表示させる指令をＯＳＤ出力手段に出力するものである。
【００１０】
この構成においては、ユーザによって指定ズーム位置が指定されると、指定ズーム位置を表示させるために記憶手段に記憶させたフォントを検索し、指定ズーム位置の高低を示すのに適切なフォントを抽出し、これを表示セルに配置することにより、ズーム位置をインデックス上にＯＳＤ表示させることができる。ユーザが指定ズーム位置を移動させたときは、移動後の指定ズーム位置を表示する表示セルについて、指定ズーム位置の高低を示す適切なフォントに差し換えることによって移動後のズーム位置をインデックス上に表示させる。各フォントのドットパターンの高さ方向の表示位置は、いずれかのフォントを表示セルに配置することによって指定ズーム位置の高低を表示できるように設定されている。このような所定のドットパターンを有するフォントの中から指定ズーム位置に対応するドットパターンを有するフォントを抽出し、これを表示セルに配置することにより、指定ズーム位置をインデックス上に表示させるようにしている。このため、インデックス上に指定ズーム位置をＯＳＤ表示させる際に必要であった困難なアルゴリズムによる座標計算等の処理を省略することができ、制御部の動作プログラムを簡素化することができる。なお、上記フォントは、キャラクタ等の表示のために記憶手段に予め記憶されているフォントを用いるようにしてもよい。この場合、改めて記憶手段にフォントを記憶させる必要はなく、また、記憶手段の記憶容量を圧迫することもない。
【００１１】
また、請求項３の発明は、請求項２に記載のズーム位置表示機能を有する光ディスク再生装置において、制御手段は、入力手段から指定ズーム位置を移動させる指令が入力されたとき、記憶手段に記憶されている複数種類のフォントを検索し、移動前後における該指定ズーム位置に対応するドットパターンを有するフォントを抽出し、該フォントを該指定ズーム位置に対応する表示セル上にＯＳＤ表示させる指令をＯＳＤ出力手段に出力するものである。この構成においては、指定ズーム位置の移動前後における位置がインデックス上に表示されるので、移動前後における指定ズーム位置を確認しながらその設定を進めることができる。
【００１２】
【発明の実施の形態】
以下、本発明を具体化した一実施形態に係る光ディスク再生装置について、図面を参照して説明する。図１は、光ディスク再生装置のブロック構成を示している。本装置は、外部に接続されたＴＶ（テレビジョン）モニタ装置の画面上に拡大した映像を表示し、その画面の一部にズーム位置を重畳させて表示する機能を有する。光ディスク再生装置１は、光ディスクに記録されている映像信号を読み取る光ピックアップ２と、光ピックアップ２が読み取った映像信号を記憶する画像メモリ（映像記憶手段）３と、画像メモリ３に記憶させた映像信号を復号処理する信号処理回路（信号処理手段）４と、信号処理回路４に復号処理させた復号信号をＴＶモニタ装置１０に対する映像信号に変換して出力するＤＡ変換回路（映像信号出力手段）５と、ＴＶモニタ装置１０に所定のＯＳＤ表示をさせるＯＳＤ回路（ＯＳＤ出力手段）６と、上記各ブロックの制御を司るＣＰＵ（制御手段）７と、ＣＰＵ７の動作プログラム及びＴＶモニタ装置１０に表示させるフォントを記憶するメモリ（記憶手段）８と、ユーザがＣＰＵ７に各種の指令を入力するための操作部（入力手段）９とを備えている。また、操作部９には、ＣＰＵ７にズーム表示指令を入力するための“ズーム”キーと、ズーム位置を上下左右に移動させる指令を入力するための“↑”，“↓”，“←”，“→”キーと、ズーム位置を確定する指令を入力するための“ＯＫ”キーが設けられている。
【００１３】
図２は、ユーザによって操作部９の“ズーム”キーが押下されたとき、ＴＶモニタ装置１０に表示される画面の変遷を示している。“ズーム”キーが押下されると、ＴＶモニタ装置１０には画面表示Ｄ１が表示される。この画面Ｄ１では、再生画面１１の中にズーム領域１２とズーム位置を擬似的に示すためのインデックス１３が表示される。“ズーム”キーが押下された直後のズーム初期位置は、再生画面１１の中央部に設定されており、インデックス１３の中央にはズーム初期位置を示すカーソル１４が表示される。その後、“ＯＫ”キーが押下されると、ズーム画面Ｄ２が表示される。ズーム画面表Ｄ２では、ズーム領域１２が画面全体に拡大表示され、それに重畳させてインデックス１３が表示される。このズーム領域１２の拡大表示は、ＣＰＵ７からの指令に基いて、信号処理回路４がズーム領域１２の映像信号を抽出し、ＣＰＵ７が、この抽出した映像信号に拡大表示のための処理を加えた後、ＤＡ変換回路５を介してＴＶモニタ装置１０に出力させることによりなされる。
【００１４】
ここで、ユーザによって“↓”キーが押下されると、ズーム画面Ｄ３には、下方に移動したズーム領域１２ａが表示されると共に、インデックス１３上にもユーザによって指定されたズーム位置を示すカーソル１５が表示される。この移動後のズーム領域１２ａの表示も、上記と同様に、ＣＰＵ７からの指令に基いて、信号処理回路４が移動後のズーム領域１２ａの映像信号を抽出し、ＣＰＵ７が、この抽出した映像信号に拡大表示のための処理を加えた後、ＤＡ変換回路５を介してＴＶモニタ装置１０に出力させることによりなされる。
【００１５】
図３は、インデックス１３を示している。このインデックス１３の表示領域を分割することにより、表示セル５１〜８０が生成される。インデックス１３の表示領域は６０×６０（横方向×縦方向を示す。以下、同様に記す）の矩形領域で表示される。表示セル５１〜８０は、インデックス１３の表示領域を縦方向に２分割、横方向ドットに１５分割することにより生成される。従って、各表示セル５１〜８０には、それぞれ４×３０ドットの表示領域がそれぞれ割り当てられる。
【００１６】
図４は、各表示セル５１〜８０に表示させるフォント３０〜４８を示している。フォント３０〜４８は、メモリ８に予め記憶されている。フォント３０〜４８の大きさは、各表示セル５１〜８０の大きさと同等であり、４×３０ドットに設定されている。フォント３０〜４８は、ドットパターンを有しないフォント３０と、１つのドットパターンを有するフォント３１〜４０（第１の群）と、２つのドットパターンを有するフォント４１〜４８（第１の群）に大別される。
【００１７】
フォント３１の下端には、ドットパターンａが配置されている。フォント３２〜３５の下端から上方向にそれぞれ所定の間隔を隔てた位置には、ドットパターンｂが配置されている。上記所定の間隔は、ユーザが指定可能なズーム位置の高低をインデックス上に表示できるように設定されている。また、フォント３６の上端には、ドットパターンｃが配置されている。フォント３７〜４０の上端から下方向にそれぞれ所定の間隔を隔てた位置には、ドットパターンｄが配置されている。なお、ドットパターンａ，ｃは４×２ドットの矩形の形状を有し、このドットパターンａとドットパターンｃを上下一対として組み合わせて表示させることにより、カーソル１４，１５をインデックスの横中心線上に表示させることができる。ドットパターンｂ，ｄは４×４ドットの矩形の形状を有し、これらの内いずれかのドットパターンによって、カーソル１５をインデックスの横中心線上以外の位置に表示させることができる。
【００１８】
また、フォント４１〜４４の下端にはドットパターンａが配置され、さらに、その下端から上方向にそれぞれ所定の間隔を隔てた位置には、ドットパターンｂが配置されている。同様に、フォント４５〜４８の上端にはドットパターンｃが配置され、さらに、その上端から下方向にそれぞれ所定の間隔を隔てた位置には、ドットパターンｄが配置されている。このようなフォント３０〜４８を各表示セル上５０〜８０に適宜配置すれば、インデックス１３上にカーソル１４，１５をＯＳＤ表示させることができる。
【００１９】
図５（ａ）は、ズーム初期位置から、ユーザが操作部９の“↑”キーを数回押下したときのの表示画面Ａ１，Ａ２，Ａ３，Ａ４を示している。インデックス１３は、ズーム初期における画面Ａ１の状態から、“↑”キーを１回押下したときの画面Ａ２となり、さらに、“↑”キーを１回押下したとき画面Ａ３となり、さらに、“↑”キーを２回押下したとき画面Ａ４となる。画面Ａ１では、インデックス１３の縦中心線上に位置する表示セル５８，７３にフォント３１，３６をそれぞれ配置し、その他の表示セルに何も表示しないフォント３０を配置することによって、インデックス１３の中央位置にカーソル１４が表示される。画面Ａ２では、表示セル５８に配置されているフォント３１をフォント４１に差し換えることによって、カーソル１４とその上方にカーソル１５が表示される。画面Ａ３では、表示セル５８に配置されているフォント４１をフォント４２に差し換えることによって、カーソル１５が１段階上方に移動して表示される。また、画面Ａ４では、表示セル５８に配置されているフォント４２をフォント４４に差し換えることによって、カーソル１５が２段階上方に移動して表示される。
【００２０】
このように、ユーザによって指定されたズーム位置が表示セル５８上に位置するときは、第２の群のフォント４１〜４４のいずれかを表示セル５８に配置することによってカーソル１４がインデックス１３の中央に表示された状態で、カーソル１５が上方に移動して表示される。ユーザによって“↓”キーが押下され、指定されたズーム位置が表示セル７３に位置するときは、第２の群のフォント４５〜４８のいずれかを表示セル７３に配置することによってカーソル１４がインデックス１３の中央に表示された状態で、カーソル１５が下方に移動して表示される。
【００２１】
図５（ｂ）は、ズーム初期位置から、ユーザが操作部９の“←”キーを数回押下したときのインデックス１３の表示画面Ｂ１，Ｂ２，Ｂ３，Ｂ４を示している。インデックス１３は、ズーム初期における画面Ｂ１の状態から、“←”キーを１回押下したとき画面Ｂ２となり、さらに、“←”キーを１回押下したとき画面Ｂ３となり、さらに、“←”キーを２回押下したとき画面Ｂ４となる。画面Ｂ１では、画面Ａ１を表示するときと同様の処理によって、インデックス１３の中央位置にカーソル１４が表示される。画面Ｂ２では、表示セル５７に配置されているフォント３０をフォント３１に、表示セル７２に配置されているフォント３０をフォント３６にそれぞれ差し換えることによって、カーソル１４とその左方にカーソル１５を表示させる。画面Ｂ３では、表示セル５５に配置されているフォント３０をフォント３１に、表示セル７０に配置されているフォント３０をフォント３６にそれぞれ差し換え、表示セル５７，７２には、フォント３０を配置することによって、カーソル１５を１段階左方に移動させて表示する。また、画面Ｂ４では、表示セル５１に配置されているフォント３０をフォント３１に、表示セル６６に配置されているフォント３０をフォント３６にそれぞれ差し換え、表示セル５５，７０には、フォント３０を配置することによって、カーソル１５を２段階左方に移動させて表示する。ユーザによって、“→”キーが押下されたときも、カーソル１５に対して右方向に位置する表示セルに配置されているフォントを差し換える。
【００２２】
このように、“←”キー又は“→”キーが押下されたときは、カーソルは横方向に移動するのみであるため、既にカーソル１５の表示に用いられているフォントを抽出し、ズーム位置の移動後のカーソル１５を表示させる表示セルに差し換える処理を行えばよい。
【００２３】
図６は、ズーム初期位置から、ユーザが操作部９の“→”キーを３回、“↓”キーを３回押下して、ズーム位置を右下方に移動させたときの“↑”キーを数回押下したときのインデックス１３の表示画面Ｃ１，Ｃ２を示している。インデックス１３は、ズーム初期における画面表示Ｃ１の状態から“→”キーを３回、“↓”キーを３回押下したとき画面Ｃ２となる。画面Ｃ１では、画面Ａ１を表示するときと同様の処理によって、インデックス１３の中央位置にカーソル１４が表示される。画面Ｃ２では、表示セル７８に配置されているフォント３０をフォント４７に差し換えることによってカーソル１４の右下方向にカーソル１５が表示される。
【００２４】
このように、ユーザによって指定されたズーム位置が表示セル５８，７３上に位置しないときは、フォント３１，３６を表示セル５８，７３に配置することによってカーソル１４を表示し、第１群のフォント３１〜４０のいずれかを指定されたズーム位置に対応する表示セルに配置することによってカーソル１５を表示する。
【００２５】
上述したフォントの差し換えは、ＣＰＵ７がメモリ８に記憶させたフォント３０〜４８の中から、ズーム位置に対応するドットパターンを有するフォントを抽出し、この抽出したフォントをズーム位置に対応する表示セル上にＯＳＤ表示させる指令を前記ＯＳＤ回路６に出力することによってなされる。
【００２６】
ユーザによって“ズーム”キーが押下されたときのＣＰＵ７の動作について、図７を参照して説明する。ユーザによって“ズーム”キーが押下されると（＃１）、ズーム領域２１を表示させる指令を信号処理回路４に出力し、インデックス１３を表示させる指令をＯＳＤ回路６に出力する（＃２）。そして、ユーザによって“ＯＫ”キーが押下されると、ズーム画面を表示させる指令を信号処理回路４に出力する（＃３）。その後、ユーザによって、“↑”キーが押下されると（＃４においてＹＥＳ）、メモリ８に記憶させたフォントを検索し（＃５）、ドットパターンを１つ上に移動させたフォントを抽出し、このフォントに差し換える指令をＯＳＤ回路６に出力する（＃６）。そして、ユーザによって“ＯＫ”キーが押下されると（＃７においてＹＥＳ）、表示画像のズーム領域を移動させてズーム表示する指令を信号処理回路４に出力する。（＃８）。その後、ユーザによるズーム解除指令の入力によって（＃９においてＹＥＳ）、処理を終了する。“↓”キーが押下されたときは（＃４においてＮＯ、＃１０においてＹＥＳ）、メモリ８に記憶させたフォントを検索し（＃１１）、ドットパターンを１つ下に移動させたフォントを抽出し、このフォントに差し換える指令をＯＳＤ回路６に出力する（＃１２）。“→”キーが押下されたときは（＃１０においてＮＯ、＃１３においてＹＥＳ）、メモリ８に記憶させたフォントを検索し（＃１４）、現在カーソル１４，１５を表示中のフォントを抽出し、１つ右の表示セルのフォントを差し換える指令をＯＳＤ回路６に出力する（＃１５）。“←”キーが押下されたときは（＃１３においてＮＯ、＃１６においてＹＥＳ）、メモリ８に記憶させたフォントを検索し（＃１７）、現在カーソル１４，１５を表示中のフォントを抽出し、１つ左の表示セルのフォントを差し換える指令をＯＳＤ回路６に出力する（＃１８）。なお、＃７，＃９及び＃１６においてＮＯのときは＃４に戻る。
【００２７】
このように、メモリ８に記憶させた複数種類のフォントの中からズーム位置を表示するために適切なフォントを抽出し、これを表示セルに差し換え表示させることにより、ズーム初期位置（画面中央位置）とユーザが指定したズーム位置とを前記インデックス上に表示させることができる。これによって、インデックス１３上にＯＳＤ表示を移動させて表示させる際に必要であった困難なアルゴリズムによる座標計算等の処理を省略することができ、ＣＰＵ７の動作プログラムを簡素化することができる。なお、上記フォントは、その他のキャラクタ等を表示させるためにメモリ８に記憶されているフォントを用いてもよいので、改めてメモリ８にフォントを記憶させる必要はなく、又、メモリ８の記憶容量を圧迫することもない。
【００２８】
なお、本発明は上記実施形態の構成に限られることなく種々の変形が可能であり、例えば、インデックス１３には移動前後のズーム位置を表示するようにしてもよい。この場合、ユーザは、インデックス１３によって、移動前後のズーム位置を確認しながらズーム位置の設定を進めることができる。また、表示セルは、インデックスを縦方向に２分割、横方向に１５分割して生成される形態に限られることはなく、さらに細かく分割することにより生成してもよい。また、これらの分割は等分割に限られることはなく、それに伴い、メモリ８に記憶させるフォントの種類もフォント３０〜４８に限られることなく、さらに多くのフォントを記憶させてもよい。
【００２９】
また、表示装置はＴＶモニタ装置１０に限られることなく、ＣＲＴ(Cathode Ray Tube)やＬＣＤ（Liquid Crystal Display）を用いてもよい。この場合は、ＤＡ変換回路５を省略する構成としてもよい。また、操作部９には、赤外線等を介して光ディスク再生装置１を遠隔操作することができるリモコンを適用してもよい。
【００３０】
【発明の効果】
以上のように請求項１の発明によれば、矩形ドットパターンを有するフォントを表示セル上に表示させることによって、初期中央位置と指定ズーム位置とをインデックス上にＯＳＤ表示させることができる。従って、従来、インデックス上にＯＳＤ表示を移動させて表示する際に必要であった座標計算等の処理を省略することができるので、制御部の動作プログラムの作成が容易なものとなり、光ディスク再生装置の開発コストを低減すると共に、その開発期間を短縮することができる。また、インデックス上には、初期中央位置と指定ズーム位置とが表示されるので、ユーザはこのインデックス表示を確認しながら容易にズーム位置を設定することができる。
【００３１】
請求項２の発明によれば、所定のドットパターンを有するフォントを表示セル上に表示させることによって、初期中央位置と指定ズーム位置とをインデックス上にＯＳＤ表示させることができる。従って、従来、インデックス上にＯＳＤ表示を移動させて表示する際に必要であった座標計算等の処理を省略することができるので、制御部の動作プログラムの作成が容易なものとなり、光ディスク再生装置の開発コストを低減すると共に、その開発期間を短縮することができる。
【００３２】
請求項３の発明によれば、移動前後の指定ズーム位置がインデックス上に表示されるので、ユーザはこのインデックスを確認しながらズーム位置の指定を容易に行うことができる。
【図面の簡単な説明】
【図１】  本発明の一実施形態による光ディスク再生装置のブロック図。
【図２】  同装置によって出力されるズーム表示の画面を示した図。
【図３】  同装置によって表示されるインデックスを示した図。
【図４】  同インデックスに表示させるフォントを示した図。
【図５】  同装置において、ズーム位置を上方及び左方に移動させたときに表示されるインデックスを示した図。
【図６】  同装置において、ズーム位置を右下方に移動させたときに表示されるインデックスを示した図。
【図７】  ズーム表示指令がユーザから入力されたとき、同装置のＣＰＵが行う処理を示したフローチャート。
【符号の説明】
１    光ディスク再生装置
２    光ピックアップ
３    画像メモリ（映像記憶手段）
４    信号処理回路（信号処理手段）
５    ＤＡ変換回路（映像信号出力手段）
６    ＯＳＤ回路（ＯＳＤ出力手段）
７    ＣＰＵ（制御手段、インデックス分割指令出力手段、フォント検索手段、フォント表示指令出力手段）
８    メモリ（記憶手段）
９    操作部（入力手段）
１０    ＴＶモニタ装置（表示装置）
１３    インデックス
３０〜４８    フォント
５１〜８０    表示セル
ａ，ｂ，ｃ，ｄ    ドットパターン
【図１】
0003698314.tif 000002
【図２】
0003698314.tif 000003
【図３】
0003698314.tif 000004
【図４】
0003698314.tif 000005
【図５】
0003698314.tif 000006
【図６】
0003698314.tif 000007
【図７】
0003698314.tif 000008